(57)【要約】【課題】光ディスク再生装置において、光ディスクの種類を正しく判別し、ＳＡＣＤが装填されたとき高音質の音楽を再生でき、現行のＣＤが装填されたときスタンダード音質の音楽を再生できるようにする。【解決手段】制御部は、ＤＶＤピックアップ及びＣＤピックアップを動作させながらフォーカスエラー信号を検出させ、ＤＶＤピックアップが最大レベルのフォーカスエラー信号Ｅ９を検出したときのフォーカスドライブ電圧Ａと、ＣＤピックアップが最大レベルのフォーカスエラー信号Ｅ１１を検出したときのフォーカスドライブ電圧Ｂとを測定する。制御部は、電圧Ｂと電圧Ａとの差が所定のしきい値ΔＶ０より大きい場合には、装填された光ディスクがＳＡＣＤであると判別し、小さい場合には、装填された光ディスクがＣＤ又はＤＶＤであると判別する。【選択図】図８
2005183001.tif 000002
【特許請求の範囲】
【請求項１】
ＣＤ（Compact Disk）に記録されているデータを読み出すためのレーザビームを出射するＣＤレーザ光源と、このＣＤレーザ光源から出射されたレーザビームをＣＤの記録面に集光させる対物レンズと、ＣＤの記録面によって反射されたレーザビームを受光する光検知器とを有するＣＤピックアップと、
ＤＶＤ（Digital Versatile Disk）に記録されているデータを読み出すためのレーザビームを出射するＤＶＤレーザ光源と、このＤＶＤレーザ光源から出射されたレーザビームをＤＶＤの記録面に集光させる対物レンズと、ＤＶＤの記録面によって反射されたレーザビームを受光する光検知器とを有するＤＶＤピックアップと、
前記ＣＤピックアップ及びＤＶＤピックアップの対物レンズを各レーザビームの光軸方向に移動させることにより、再生しようとする光ディスクの記録面に各対物レンズの焦点を合わせるフォーカス駆動手段と、
前記ＣＤピックアップの光検知器からの出力に基いて、前記ＣＤピックアップの対物レンズの移動により該対物レンズの焦点が光ディスクの記録面を通過する際に生ずるフォーカス信号を検出するＣＤフォーカス信号検出手段と、
前記ＤＶＤピックアップの光検知器からの出力に基いて、前記ＤＶＤピックアップの対物レンズの移動により該対物レンズの焦点が光ディスクの記録面を通過する際に生ずるフォーカス信号を検出するＤＶＤフォーカス信号検出手段とを備えた光ディスク再生装置において、
前記ＤＶＤフォーカス信号検出手段は、前記ＤＶＤレーザ光源にレーザビームを出射させると共に、前記フォーカス駆動手段によって前記ＤＶＤピックアップの対物レンズを移動させることによりフォーカス信号を検出し、
前記ＣＤフォーカス信号検出手段は、前記ＣＤレーザ光源にレーザビームを出射させると共に、前記フォーカス駆動手段によって前記ＣＤピックアップの対物レンズを移動させることによりフォーカス信号を検出し、
前記ＣＤフォーカス信号検出手段及びＤＶＤフォーカス信号検出手段が検出したフォーカス信号に基いて、再生しようとする光ディスクの種類を判別するディスク判別手段と、このディスク判別手段が判別した結果に基いて光ディスクに記録されたデータを再生する再生処理手段をさらに備え、
前記ＤＶＤフォーカス信号検出手段及び前記ＣＤフォーカス信号検出手段は、最も大きなレベルのフォーカス信号を検出した時の前記フォーカス駆動手段の駆動電圧値を測定し、
前記ディスク判別手段は、
前記ＤＶＤフォーカス信号検出手段が測定した駆動電圧と、前記ＣＤフォーカス信号検出手段が測定した駆動電圧との差を算出する電圧差算出手段を有し、
前記電圧差算出手段が算出した駆動電圧の差が所定のしきい値より大きいとき、再生しようとする光ディスクが複数の層にスタンダード密度及び高密度のデータがそれぞれ記録されて成るＳＡ（Super Audio）ＣＤハイブリッドディスクであると判別し、
前記電圧差算出手段が算出した駆動電圧の差が所定のしきい値より小さいとき、再生しようとする光ディスクがＤＶＤ又はＣＤであると判別し、
前記再生処理手段は、
前記再生しようとする光ディスクがＳＡＣＤハイブリッドディスクであると判別されたとき、前記ＤＶＤピックアップによって読み出された高密度層のデータを再生し、
前記再生しようとする光ディスクがＣＤであると判別されたとき、前記ＣＤピックアップによって読み出されたデータを再生することを特徴とする光ディスク再生装置。
【請求項２】
ＣＤ（Compact Disk）に記録されているデータを読み出すためのレーザビームを出射するＣＤレーザ光源と、このＣＤレーザ光源から出射されたレーザビームをＣＤの記録面に集光させる対物レンズと、ＣＤの記録面によって反射されたレーザビームを受光する光検知器とを有するＣＤピックアップと、
ＤＶＤ（Digital Versatile Disk）に記録されているデータを読み出すためのレーザビームを出射するＤＶＤレーザ光源と、このＤＶＤレーザ光源から出射されたレーザビームをＤＶＤの記録面に集光させる対物レンズと、ＤＶＤの記録面によって反射されたレーザビームを受光する光検知器とを有するＤＶＤピックアップと、
前記ＣＤピックアップ及びＤＶＤピックアップの対物レンズを各レーザビームの光軸方向に移動させることにより、再生しようとする光ディスクの記録面に各対物レンズの焦点を合わせるフォーカス駆動手段と、
前記ＣＤピックアップの光検知器からの出力に基いて、前記ＣＤピックアップの対物レンズの移動により該対物レンズの焦点が光ディスクの記録面を通過する際に生ずるフォーカス信号を検出するＣＤフォーカス信号検出手段と、
前記ＤＶＤピックアップの光検知器からの出力に基いて、前記ＤＶＤピックアップの対物レンズの移動により該対物レンズの焦点が光ディスクの記録面を通過する際に生ずるフォーカス信号を検出するＤＶＤフォーカス信号検出手段とを備えた光ディスク再生装置において、
前記ＤＶＤフォーカス信号検出手段は、前記ＤＶＤレーザ光源にレーザビームを出射させると共に、前記フォーカス駆動手段によって前記ＤＶＤピックアップの対物レンズを移動させることによりフォーカス信号を検出し、
前記ＣＤフォーカス信号検出手段は、前記ＣＤレーザ光源にレーザビームを出射させると共に、前記フォーカス駆動手段によって前記ＣＤピックアップの対物レンズを移動させることによりフォーカス信号を検出し、
前記ＣＤフォーカス信号検出手段及びＤＶＤフォーカス信号検出手段が検出したフォーカス信号に基いて、再生しようとする光ディスクの種類を判別するディスク判別手段と、このディスク判別手段が判別した結果に基いて光ディスクに記録されたデータを再生する再生処理手段をさらに備え、
前記ディスク判別手段は、
前記ＤＶＤフォーカス信号検出手段又はＣＤフォーカス信号検出手段が検出したフォーカス信号の個数をカウントし、１つ目のフォーカス信号を検出した後、前記フォーカス駆動手段による前記対物レンズの駆動を継続させながら、所定の時間が経過するまで前記信号カウント手段にフォーカス信号のカウントを中断し、その後、該信号カウント手段にフォーカス信号のカウントを再開する信号カウント手段をさらに有し、
前記信号カウント手段によってカウントされたフォーカス信号の個数が２個のとき、再生しようとする光ディスクが複数の層にスタンダード密度及び高密度のデータがそれぞれ記録されて成るＳＡ（Super Audio）ＣＤハイブリッドディスクであると判別し、該カウントされたフォーカス信号の個数が１個のとき、再生しようとする光ディスクがＤＶＤ又はＣＤであると判別し、
前記再生処理手段は、
前記再生しようとする光ディスクがＳＡＣＤハイブリッドディスクであると判別されたとき、前記ＤＶＤピックアップによって読み出された高密度層のデータを再生し、
前記再生しようとする光ディスクがＣＤであると判別されたとき、前記ＣＤピックアップによって読み出されたデータを再生することを特徴とする光ディスク再生装置。
【発明の詳細な説明】
【技術分野】
【０００１】
本発明は、複数の層にデータが記録されて成るＳＡＣＤハイブリッドディスクに対応する光ディスク再生装置に関するものである。
【背景技術】
【０００２】
従来から、ＣＤ（Compact Disk）用のピックアップ及びＤＶＤ（Digital Versatile Disk）用のピックアップを備え、双方の光ディスクを再生できるように構成した光ディスク再生装置がある。この種の光ディスク再生装置では、光ディスクのデータを読み出し可能な光ピックアップを選択するために、再生しようとする光ディスクの種別を判別する必要がある。そこで、光ピックアップが検出したフォーカスエラー信号の振幅や山の数から、再生しようとする光ディスクがＣＤか、１層又は２層のＤＶＤ（ＳＤ）かを判別するように構成した光ディスク再生装置が知られている(例えば、特許文献１及び特許文献２参照)。
【０００３】
ところで、現行のＣＤよりさらに再生音質を高めるために、高密度の音声データを記録できるように構成されたＳＡＣＤ（Super Audio Compact Disk）がある。ＳＡＣＤには、２つのデータ記録層を持つ２層ディスクがあり、その中でも、第１層（スタンダード密度層）に現行のＣＤと同等のスタンダード密度のデータ、第２層（高密度層）に高密度のデータをそれぞれ記録させた、いわゆるＳＡＣＤハイブリッドディスク（以下、ＳＡＣＤ）と呼ばれるディスクが普及しつつある。ＳＡＣＤの各層間の距離は約０．６ｍｍであり、２層ＤＶＤの各層間の距離５５μｍと比較すると約１０倍以上広いという特徴がある。このようなＳＡＣＤの第１層に記録されているスタンダード密度のデータは、現行のＣＤと同等のデータであるためＣＤ用のピックアップで読み出しが可能であり、従来のＣＤプレーヤでも再生が可能である。一方、第２層に記録されている高密度のデータは、ＣＤ用のピックアップでは読み出しが不可能であり、ＤＶＤ用のピックアップを用いて読み出される。
【特許文献１】特開２０００−２２８０４９号公報
【特許文献２】特許第２９７５８８４号公報
【発明の開示】
【発明が解決しようとする課題】
【０００４】
ところが、ＳＡＣＤ専用の再生装置はＣＤ用のピックアップを備えてないので、現行のＣＤのデータを読み出すことができず、ユーザにとって不便である。仮にＳＡＣＤ専用の再生装置にＣＤ用のピックアップをさらに備えたとしても、装填された光ディスクの種類の正しく判別を行わなければ、ＣＤに記録されたデータを再生することができない。
【０００５】
また、ＣＤ用のピックアップ及びＤＶＤ用のピックアップを備えたＤＶＤ再生装置によってＳＡＣＤの高密度層のデータを再生しようとしても、該高密度層のデータはＤＶＤに記録されているデータとは記録フォーマットが異なるため、ＤＶＤ用のピックアップによって読み出しても再生することができない。従って、上記特許文献１及び特許文献２に示された光ディスク再生装置にＳＡＣＤが装填された場合、ＳＡＣＤの高密度層のデータを再生することができない。また、２層のＤＶＤと同様にＳＡＣＤも２層の記録面を有しているため、単にフォーカスエラー信号の振幅や山の数を検出する上記構成では、装填された光ディスクがＳＡＣＤであるか、２層のＤＶＤであるかを判別することができない。従って、仮に上記装置をＳＡＣＤの高密度層の記録フォーマットで記録されたデータを再生できるように構成したとしても、装填された光ディスクの種類を判別することができないので、光ディスクのデータがいずれの記録フォーマットで記録されているのかを認識することができず、結局、ＳＡＣＤの高密度層のデータを再生できない。
【０００６】
また、上記光ディスク再生装置でもＣＤ用のピックアップを備えているので、スタンダード密度層のデータを読み出して再生することも可能であるが、このようにして再生したデータの音質は現行のＣＤと同等であり、高音質なデータが記録されているＳＡＣＤの恩恵を享受することができない。
【０００７】
本発明は、上述した問題点を解決するためになされたものであり、装填された光ディスクの種類を正しく判別し、ＳＡＣＤが装填されたとき高密度層に記録されたデータを読み出して高音質の音楽を再生でき、現行のＣＤが装填されたときもスタンダードな音質の音楽を再生できるように構成した光ディスク再生装置を提供することを目的とする。
【課題を解決するための手段】
【０００８】
上記目的を達成するために請求項１の発明は、ＣＤ（Compact Disk）に記録されているデータを読み出すためのレーザビームを出射するＣＤレーザ光源と、このＣＤレーザ光源から出射されたレーザビームをＣＤの記録面に集光させる対物レンズと、ＣＤの記録面によって反射されたレーザビームを受光する光検知器とを有するＣＤピックアップと、ＤＶＤ（Digital Versatile Disk）に記録されているデータを読み出すためのレーザビームを出射するＤＶＤレーザ光源と、このＤＶＤレーザ光源から出射されたレーザビームをＤＶＤの記録面に集光させる対物レンズと、ＤＶＤの記録面によって反射されたレーザビームを受光する光検知器とを有するＤＶＤピックアップと、ＣＤピックアップ及びＤＶＤピックアップの対物レンズを各レーザビームの光軸方向に移動させることにより、再生しようとする光ディスクの記録面に各対物レンズの焦点を合わせるフォーカス駆動手段と、ＣＤピックアップの光検知器からの出力に基いて、ＣＤピックアップの対物レンズの移動により該対物レンズの焦点が光ディスクの記録面を通過する際に生ずるフォーカス信号を検出するＣＤフォーカス信号検出手段と、ＤＶＤピックアップの光検知器からの出力に基いて、ＤＶＤピックアップの対物レンズの移動により該対物レンズの焦点が光ディスクの記録面を通過する際に生ずるフォーカス信号を検出するＤＶＤフォーカス信号検出手段とを備えた光ディスク再生装置において、ＤＶＤフォーカス信号検出手段は、ＤＶＤレーザ光源にレーザビームを出射させると共に、フォーカス駆動手段によってＤＶＤピックアップの対物レンズを移動させることによりフォーカス信号を検出し、ＣＤフォーカス信号検出手段は、ＣＤレーザ光源にレーザビームを出射させると共に、フォーカス駆動手段によってＣＤピックアップの対物レンズを移動させることによりフォーカス信号を検出し、ＣＤフォーカス信号検出手段及びＤＶＤフォーカス信号検出手段が検出したフォーカス信号に基いて、再生しようとする光ディスクの種類を判別するディスク判別手段と、このディスク判別手段が判別した結果に基いて光ディスクに記録されたデータを再生する再生処理手段をさらに備え、ＤＶＤフォーカス信号検出手段及びＣＤフォーカス信号検出手段は、最も大きなレベルのフォーカス信号を検出した時のフォーカス駆動手段の駆動電圧値を測定し、ディスク判別手段は、ＤＶＤフォーカス信号検出手段が測定した駆動電圧と、ＣＤフォーカス信号検出手段が測定した駆動電圧との差を算出する電圧差算出手段を有し、電圧差算出手段が算出した駆動電圧の差が所定のしきい値より大きいとき、再生しようとする光ディスクが複数の層にスタンダード密度及び高密度のデータがそれぞれ記録されて成るＳＡ（Super Audio）ＣＤハイブリッドディスクであると判別し、電圧差算出手段が算出した駆動電圧の差が所定のしきい値より小さいとき、再生しようとする光ディスクがＤＶＤ又はＣＤであると判別し、再生処理手段は、再生しようとする光ディスクがＳＡＣＤハイブリッドディスクであると判別されたとき、ＤＶＤピックアップによって読み出された高密度層のデータを再生し、再生しようとする光ディスクがＣＤであると判別されたとき、ＣＤピックアップによって読み出されたデータを再生するものである。
【０００９】
この構成においては、ＤＶＤピックアップ及びＣＤピックアップを用いて２回のフォーカスサーチを行い、ＤＶＤフォーカス検出手段及びＣＤフォーカス検出手段によって検出されたフォーカス信号に基いてディスク判別手段が光ディスクの種類を判別する。光ディスクの種類は、ＤＶＤフォーカス信号検出手段及びＣＤフォーカス信号検出手段が最も大きなレベルのフォーカス信号を検出した時のフォーカス駆動手段の駆動電圧値をそれぞれ測定し、両電圧値の差に基いて判別される。その結果、装填された光ディスクがＳＡＣＤであると判別されたとき、ＤＶＤピックアップによって高密度のデータが読み出され、高音質のデータが再生処理される。また、光ディスクがＣＤであると判別されたとき、ＣＤピックアップによってデータが読み出され、スタンダード音質のデータが再生処理される。
【００１０】
請求項２の発明は、ＣＤ（Compact Disk）に記録されているデータを読み出すためのレーザビームを出射するＣＤレーザ光源と、このＣＤレーザ光源から出射されたレーザビームをＣＤの記録面に集光させる対物レンズと、ＣＤの記録面によって反射されたレーザビームを受光する光検知器とを有するＣＤピックアップと、ＤＶＤ（Digital Versatile Disk）に記録されているデータを読み出すためのレーザビームを出射するＤＶＤレーザ光源と、このＤＶＤレーザ光源から出射されたレーザビームをＤＶＤの記録面に集光させる対物レンズと、ＤＶＤの記録面によって反射されたレーザビームを受光する光検知器とを有するＤＶＤピックアップと、ＣＤピックアップ及びＤＶＤピックアップの対物レンズを各レーザビームの光軸方向に移動させることにより、再生しようとする光ディスクの記録面に各対物レンズの焦点を合わせるフォーカス駆動手段と、ＣＤピックアップの光検知器からの出力に基いて、ＣＤピックアップの対物レンズの移動により該対物レンズの焦点が光ディスクの記録面を通過する際に生ずるフォーカス信号を検出するＣＤフォーカス信号検出手段と、ＤＶＤピックアップの光検知器からの出力に基いて、ＤＶＤピックアップの対物レンズの移動により該対物レンズの焦点が光ディスクの記録面を通過する際に生ずるフォーカス信号を検出するＤＶＤフォーカス信号検出手段とを備えた光ディスク再生装置において、ＤＶＤフォーカス信号検出手段は、ＤＶＤレーザ光源にレーザビームを出射させると共に、フォーカス駆動手段によってＤＶＤピックアップの対物レンズを移動させることによりフォーカス信号を検出し、ＣＤフォーカス信号検出手段は、ＣＤレーザ光源にレーザビームを出射させると共に、フォーカス駆動手段によってＣＤピックアップの対物レンズを移動させることによりフォーカス信号を検出し、ＣＤフォーカス信号検出手段及びＤＶＤフォーカス信号検出手段が検出したフォーカス信号に基いて、再生しようとする光ディスクの種類を判別するディスク判別手段と、このディスク判別手段が判別した結果に基いて光ディスクに記録されたデータを再生する再生処理手段をさらに備え、ディスク判別手段は、ＤＶＤフォーカス信号検出手段又はＣＤフォーカス信号検出手段が検出したフォーカス信号の個数をカウントし、１つ目のフォーカス信号を検出した後、フォーカス駆動手段による対物レンズの駆動を継続させながら、所定の時間が経過するまで信号カウント手段にフォーカス信号のカウントを中断し、その後、該信号カウント手段にフォーカス信号のカウントを再開する信号カウント手段をさらに有し、信号カウント手段によってカウントされたフォーカス信号の個数が２個のとき、再生しようとする光ディスクが複数の層にスタンダード密度及び高密度のデータがそれぞれ記録されて成るＳＡ（Super Audio）ＣＤハイブリッドディスクであると判別し、該カウントされたフォーカス信号の個数が１個のとき、再生しようとする光ディスクがＤＶＤ又はＣＤであると判別し、再生処理手段は、再生しようとする光ディスクがＳＡＣＤハイブリッドディスクであると判別されたとき、ＤＶＤピックアップによって読み出された高密度層のデータを再生し、再生しようとする光ディスクがＣＤであると判別されたとき、ＣＤピックアップによって読み出されたデータを再生するものである。
【００１１】
この構成においては、ＤＶＤピックアップ及びＣＤピックアップを用いて２回のフォーカスサーチを行い、ＤＶＤフォーカス検出手段及びＣＤフォーカス検出手段によって検出されたフォーカス信号に基いてディスク判別手段が光ディスクの種類を判別する。光ディスクの種類は、信号カウント手段がカウントしたフォーカス信号の個数に基いて判別される。より具体的には、２個のフォーカス信号が検出された場合は２層の記録面を有するＳＡＣＤであると判別される。このとき、信号カウント手段が１つ目の信号をカウントした後、所定の時間が経過するまではフォーカス信号のカウントが中断されるので、層間の距離が小さい２層ＤＶＤが装填された場合は１個のフォーカス信号のみが検出される。こうして、ＳＡＣＤと２層ＤＶＤは、区別して判別される。その結果、装填された光ディスクがＳＡＣＤであると判別されたとき、ＤＶＤピックアップによって高密度のデータが読み出され、高音質のデータが再生処理される。また、光ディスクがＣＤであると判別されたとき、ＣＤピックアップによってデータが読み出され、スタンダード音質のデータが再生処理される。
【発明の効果】
【００１２】
請求項１の発明によれば、ＤＶＤピックアップを用いて最も大きいフォーカス信号を検出した時のフォーカス駆動手段の駆動電圧値とＣＤピックアップを用いて最も大きいフォーカス信号を検出した時のフォーカス駆動手段の駆動電圧値との差に基いて、再生しようとしている光ディスクの種類が判別されるので、装填された光ディスクを正確に判別することができる。そして、装填された光ディスクがＳＡＣＤであると判定したとき、再生処理手段がＤＶＤピックアップによって読み出された高密度層のデータを再生するので、ユーザは高音質の音楽を聴取することができる。また、装填された光ディスクがＣＤであると判定したとき、再生処理手段がＣＤピックアップによって読み出されたデータを再生するので、ユーザは現行のＣＤソフトを聴取することができる。
【００１３】
請求項２の発明によれば、信号カウント手段は、１つ目のフォーカス信号を検出した後、所定の時間が経過するまでフォーカス信号のカウントを中断し、その後カウントを再開するので、層間距離が小さい２層のＤＶＤと同距離が大きい２層のＳＡＣＤとを区別して判別することができ、装填された光ディスクを正確に判別することができる。そして、装填された光ディスクがＳＡＣＤであると判定したとき、再生処理手段がＤＶＤピックアップによって読み出された高密度層のデータを再生するので、ユーザは高音質の音楽を聴取することができる。また、装填された光ディスクがＣＤであると判定したとき、再生処理手段がＣＤピックアップによって読み出されたデータを再生するので、ユーザは現行のＣＤソフトを聴取することができる。
【発明を実施するための最良の形態】
【００１４】
（実施形態１）
本発明の一実施形態による光ディスク再生装置について図面を参照して説明する。図１はＳＡＣＤに対応する光ディスク再生装置の概略構成を示している。光ディスク再生装置１００は、装填された光ディスクＤを回転駆動するためのスピンドルモータ１と、ＳＡＣＤのスタンダード密度層のデータを読み出すためのＣＤピックアップ２と、高密度層のデータを読み出すためのＤＶＤピックアップ３と、ＣＤピックアップ２及びＤＶＤピックアップ３から出力される電気信号からフォーカス信号を生成するＲＦアンプ４と、ＲＦアンプ４より出力されるフォーカス信号に基いてＣＤピックアップ２及びＤＶＤピックアップ３を制御するサーボ信号を生成するサーボＤＳＰ回路５と、スピンドルモータ１を駆動するための駆動回路６と、ＲＦアンプ４から出力される音声信号をデコード（再生処理）するデコーダ（再生処理手段）７と、装置各部の制御を司る制御部８と、制御部８の動作プログラムを記憶するメモリ９とを備えている。制御部８によって、請求項のＣＤフォーカス信号検出手段、ＤＶＤフォーカス信号検出手段及びディスク判別手段が構成される。この光ディスク再生装置１は、装填されている光ディスクＤの種類を自動的に判別し、ＳＡＣＤが装填されていると判別したときは、ＤＶＤピックアップ３によって高密度層に記録されたデータを読み出して高音質のデータを再生し、ＣＤが装填されていると判別したときは、ＣＤピックアップ２によってスタンダード音質のデータを読み出して再生する機能を有している。
【００１５】
図２に示されるように、ＣＤピックアップ２は、波長が７８０ｎｍのレーザビーム（ＣＤレーザ）をＳＡＣＤのスタンダード密度層の記録面に照射してデータを読み出して電気信号に変換する装置であり、ＣＤ再生用のレーザ光源と、開口率が０．４５の対物レンズと、この対物レンズの焦点を移動させるために対物レンズ又はＣＤピックアップを駆動するアクチュエータ（フォーカス駆動手段）と、記録面によって反射されたレーザビームを受光する光検知器とを有している。一方、ＤＶＤピックアップ（ＨＤピックアップ）３は、波長が６５０ｎｍのレーザビーム（ＤＶＤレーザ）を高密度層の記録面に照射し、データを読み出して電気信号に変換する装置であり、ＤＶＤ再生用のレーザ光源と、開口率が０．６の対物レンズと、この対物レンズの焦点を移動させるために対物レンズ又はＤＶＤピックアップを駆動するアクチュエータ（フォーカス駆動手段）と、記録面によって反射されたレーザビームを受光する光検知器とを有している。
【００１６】
制御部８は、ＣＤピックアップ２及びＤＶＤピックアップ３の出力からフォーカス信号を検出し、このフォーカス信号に基いて光ディスクＤの種類を判別し、装填された光ディスクＤからデータを読み出し可能な光ピックアップを選択し、選択した光ピックアップに光ディスクＤに記録されたデータの読み出させ、光ピックアップが読み出したデータの電気信号をデコーダ８にデコードさせる。上記フォーカス信号は、ＣＤピックアップ２及びＤＶＤピックアップ３のレーザ光源よりレーザビームを出射しながら対物レンズを移動させてフォーカスサーチを行うことにより検出される。フォーカス信号の一例として、光検知器に設けられた４個の受光部の各受光量の対角線差によって算出される、いわゆるフォーカスエラー信号が挙げられる。フォーカスエラー信号は、対物レンズの焦点が光ディスクＤの記録面を通過する際に、Ｓ字状の信号として検出される。なお、フォーカス信号は、上記フォーカスエラー信号に限られることなく、例えば、上記受光部の各受光量の総和によって算出される、いわゆるＡＳ信号（ＥＦＭ信号）を用いて、光ディスクＤの種類を判別するように構成してもよい。
【００１７】
図３乃至図５は、光ディスク再生装置１００にＳＡＣＤ、ＤＶＤ及びＣＤが装填された場合におけるフォーカスサーチ時のアクチュエータの駆動電圧（フォーカスドライブ電圧）とフォーカスエラー信号について、時間軸を横軸にとってそれぞれ示している。各光ピックアップの対物レンズはアクチュエータに印加される駆動電圧に比例して移動する。フォーカスサーチは、以下の要領で成される。まず、ＤＶＤピックアップ３の対物レンズを下限位置まで下降させた後、ＤＶＤレーザを出射しながら対物レンズを一定速度で上限位置まで上昇させ、ＤＶＤレーザによりフォーカスエラー信号を検出する。その後、ＣＤピックアップ２の対物レンズを下限位置まで下降させた後、ＣＤレーザを出射しながら対物レンズを一定速度で上限位置まで上昇させ、ＣＤレーザによりフォーカスエラー信号を検出する。
【００１８】
ここで、光ディスク再生装置１００にＳＡＣＤが装填された場合、図３に示されるように、ＤＶＤピックアップ３の対物レンズのフォーカスがＳＡＣＤの高密度層の記録面を通過する時（Ｔ＝Ｔ１）、正常レベル（所定のレベルより大きいレベル）のフォーカスエラー信号Ｅ１が検出され、同フォーカスがＳＡＣＤのスタンダード密度層の記録面を通過する時（Ｔ＝Ｔ２）、異常レベル（所定のレベルより小さいレベル）のフォーカスエラー信号Ｅ２が検出される。また、ＣＤピックアップ２の対物レンズのフォーカスがＳＡＣＤの高密度層の記録面を通過する時（Ｔ＝Ｔ３）、異常レベルのフォーカスエラー信号Ｅ３が検出され、同フォーカスがＳＡＣＤのスタンダード密度層の記録面を通過する時（Ｔ＝Ｔ４）、正常レベルのフォーカスエラー信号Ｅ４が検出される。ここで、正常レベルのフォーカスエラー信号Ｅ１，Ｅ４とは、照射されるレーザビーム及びピックアップの光学系の仕様が光ディスクＤの各記録面の定格に合致する場合に検出されるフォーカスエラー信号をいい、異常レベルのフォーカスエラー信号Ｅ２，Ｅ３とは、同仕様が光ディスクＤの各記録面の定格に合致しない場合に検出されるフォーカスエラー信号をいう（以下において同様）。
【００１９】
一方、図４に示されるように、光ディスク再生装置１００にＤＶＤが装填された場合、ＤＶＤピックアップ３の対物レンズのフォーカスがＤＶＤの記録面を通過する時（Ｔ＝Ｔ５）、正常レベルのフォーカスエラー信号Ｅ５が検出され、また、ＣＤピックアップ２の対物レンズのフォーカスがＤＶＤの記録面を通過する時（Ｔ＝Ｔ６）、異常レベルのフォーカスエラー信号Ｅ６が検出される。さらに図５に示されるように、光ディスク再生装置１００にＣＤが装填された場合、ＤＶＤピックアップ３の対物レンズのフォーカスがＣＤの記録面を通過する時（Ｔ＝Ｔ７）、異常レベルのフォーカスエラー信号Ｅ７が検出され、また、ＣＤピックアップ２の対物レンズのフォーカスがＣＤの記録面を通過する時（Ｔ＝Ｔ８）、正常レベルのフォーカスエラー信号Ｅ８が検出される。
【００２０】
図６は、光ディスク再生装置１００に上記３種類の光ディスクＤが装填されたときのＤＶＤピックアップ３及びＣＤピックアップ２によるフォーカスエラー信号の検出結果を示す。図中“○”は正常レベルのフォーカスエラー信号が検出されたことを示し、“×”は異常レベルのフォーカスエラー信号が検出されたことを示している。このように、光ディスク再生装置１００に装填された光ディスクＤの種類に応じて、フォーカスエラー信号の検出結果が相違する。従って、ＤＶＤピックアップ３及びＣＤピックアップ２によってフォーカスサーチを順次行えば、そのサーチ結果に基いて装填されている光ディスクＤの種類を判別することができる。具体的には、ＤＶＤレーザビーム及びＣＤレーザビームの照射によってそれぞれ正常レベルのフォーカス信号が検出されたとき、光ディスクＤがＳＡＣＤであると判別できる。また、ＤＶＤレーザビームの照射によって正常レベルのフォーカス信号を検出したとき、光ディスクＤがＤＶＤであると判別でき、ＣＤレーザビームの照射によって正常レベルのフォーカス信号を検出したとき、光ディスクＤがＣＤであると判別できる。なお、２層の記録面を有するＤＶＤが光ディスク再生装置１００に装填された場合は、ＤＶＤレーザの照射時に２つの正常レベルのフォーカスエラー信号が検出されるので、これによってＳＡＣＤと区別することができる。
【００２１】
上記判別の結果、光ディスク再生装置１００に装填された光ディスクＤがＳＡＣＤであると制御部８が判別したとき、ＤＶＤピックアップ３によってＳＡＣＤの高密度層の高音質の記録データを読み出し、デコーダ７によって再生処理する。また、装填された光ディスクＤがＣＤであると制御部８が判別したとき、ＣＤピックアップ２によってＣＤのスタンダード音質の記録データを読み出し、デコーダ７によって再生処理する。
【００２２】
次に、制御部８による光ディスクＤの判別処理の手順について、図７を参照して説明する。光ディスクＤが装填されるとＤＶＤレーザを出射（ＤＶＤレーザオン）して（＃１）、フォーカスサーチを開始し（＃２）、フォーカスエラー信号のレベル及びＡＳ信号のレベルを測定する（＃３）。この＃３で測定された値をＤＶＤレーザ測定値とする。そして、ＤＶＤレーザによるフォーカスサーチが終了すると（＃４）、ＤＶＤレーザの出射を停止する（ＤＶＤレーザオフ）（＃５）。その後、ＣＤレーザを出射（ＣＤレーザオン）して（＃６）、フォーカスサーチを開始し（７）、フォーカスエラー信号のレベル及びＡＳ信号のレベルを測定する（＃８）。この＃８で測定された値をＣＤレーザ測定値とする。そして、ＣＤレーザによるフォーカスサーチが終了すると（＃９）、ＣＤレーザの出射を停止する（ＣＤレーザオフ）（＃１０）。そして、＃３及び＃８によって得られたＤＶＤレーザ測定値及びＣＤレーザ測定値より、各フォーカスエラー信号のレベルの正常／異常を判断し、図６を参照して光ディスクＤの種類を判別する（＃１１）。なお、本実施例では、光ディスクＤの判別をより正確に行うため、フォーカスエラー信号に加えてＡＳ信号を測定し、このＡＳ信号のレベルの正常／異常をも判断し、光ディスクＤの判別を行っている。
【００２３】
このように、光ピックアップ再生装置１００によれば、ＤＶＤレーザによるフォーカスサーチ及びＣＤレーザによるフォーカスサーチ結果に基いて、再生しようとしている光ディスクＤの種類を判別するので、光ピックアップ再生装置１００にＳＡＣＤが装填された場合であっても、光ディスクＤの種類が正確に判別される。また、装填された光ディスクＤがＳＡＣＤであると判別されたとき、高密度層のデータをＤＶＤピックアップ３によって読み出してデコーダ７によって再生するので、ユーザは高音質の音楽を聴取することができる。また、装填された光ディスクがＣＤであると判定したとき、ＣＤの記録データをＣＤピックアップ２によって読み出して再生するので、ユーザは現行のＣＤソフトを聴取することができる。
【００２４】
（実施形態２）
本発明の別の実施形態について、図８乃至図１１を参照して説明する。この実施形態２による光ディスク再生装置のブロック構成は、図１に示した実施形態１の光ディスク再生装置１００と同等であり、制御部８による光ディスクＤの判別手法が相違する。すなわち、実施形態２においては、ＳＡＣＤの各層間の距離がＤＶＤ等と比較して約１０倍以上広いことに着目して、光ディスクＤの判別を行っている。より具体的には、制御部８（電圧差算出手段）は、ＤＶＤレーザビームを照射して最も大きなレベルのフォーカスエラー信号を検出した時のフォーカスドライブ電圧Ａと、ＤＶＤレーザビームを照射して最も大きなレベルのフォーカスエラー信号を検出した時のフォーカスドライブ電圧Ｂとの電圧差ΔＶ＝Ｂ−Ａを算出する。ここで、光ディスクＤの各層間の距離が大きいときは電圧差ΔＶの値も大きくなり、各層間の距離が小さいときは電圧差ΔＶの値も小さくなる。また、記録層を１層しか持たない光ディスクＤにあっては、電圧差ΔＶ≒０となる。従って、電圧差ΔＶが所定のしきい値ΔＶ０より大きいときは、装填された光ディスクＤはＳＡＣＤであると判別され、電圧差ΔＶがしきい値ΔＶ０より小さいときは、装填された光ディスクＤはＤＶＤ又はＣＤであると判別される。ここで、しきい値ΔＶ０は、ＳＡＣＤのスタンダード層と高密度層の層間距離に応じて予め設定しておく値である。
【００２５】
図８乃至図１０は、光ディスク再生装置１００にＳＡＣＤ、ＤＶＤ及びＣＤが装填された場合におけるフォーカスサーチ時の対物レンズの駆動電圧とフォーカスエラー信号について、時間軸を横軸にとってそれぞれ示している。フォーカスサーチは、以下の要領で成される。まず、ＤＶＤピックアップ３の対物レンズを下限位置まで下降させた後、ＤＶＤレーザを出射しながら対物レンズを一定速度で上限位置まで上昇させ、ＤＶＤレーザによりフォーカスエラー信号を検出する。その後、上限位置にあるＣＤレーザを出射しながらＣＤピックアップ２の対物レンズを下限位置まで下降させ、ＣＤレーザによりフォーカスエラー信号を検出する。
【００２６】
上記要領にてフォーカスサーチを行うと、図８に示されるように、ＤＶＤピックアップ３の対物レンズのフォーカスがＳＡＣＤの高密度層の記録面を通過する時（Ｔ＝Ｔ９）、正常レベルのフォーカスエラー信号Ｅ９が検出され、同フォーカスがＳＡＣＤのスタンダード密度層の記録面を通過する時（Ｔ＝Ｔ１０）、異常レベルのフォーカスエラー信号Ｅ１０が検出される。また、ＣＤピックアップ２の対物レンズのフォーカスがＳＡＣＤのスタンダード密度層の記録面を通過する時（Ｔ＝Ｔ１１）、正常レベルのフォーカスエラー信号Ｅ１１が検出され、同フォーカスがＳＡＣＤの高密度層の記録面を通過する時（Ｔ＝Ｔ１２）、異常レベルのフォーカスエラー信号Ｅ１２が検出される。従って、ＤＶＤレーザが照射されているとき最も大きなレベルのフォーカス信号はＥ９であり、その時のフォーカスドライブ電圧は電圧Ａで示され、ＣＤレーザが照射されているとき最も大きなレベルのフォーカス信号はＥ１１であり、その時のフォーカスドライブ電圧は電圧Ｂで示される。これにより、電圧差ΔＶ（＝Ｂ−Ａ）＞しきい値ΔＶ０となり、装填された光ディスクＤはＳＡＣＤであると判別される。
【００２７】
一方、図９に示されるように、光ディスク再生装置１００にＤＶＤが装填された場合、ＤＶＤピックアップ３の対物レンズのフォーカスがＤＶＤの記録面を通過する時（Ｔ＝Ｔ１３）、正常レベルのフォーカスエラー信号Ｅ１３が検出され、また、ＣＤピックアップ２の対物レンズのフォーカスがＤＶＤの記録面を通過する時（Ｔ＝Ｔ１４）、異常レベルのフォーカスエラー信号Ｅ１４が検出される。従って、ＤＶＤレーザが照射されているとき最も大きなレベルのフォーカス信号はＥ１３であり、その時のフォーカスドライブ電圧は電圧Ａで示され、ＣＤレーザが照射されているとき最も大きなレベルのフォーカス信号はＥ１４であり、その時のフォーカスドライブ電圧は電圧Ｂで示される。このとき、図からも明らかなようにＡ≒Ｂであり、電圧差ΔＶ（＝Ｂ−Ａ≒０）＜しきい値ΔＶとなり装填された光ディスクＤはＤＶＤ又はＣＤであると判別される。
【００２８】
また、図１０に示されるように、光ディスク再生装置１００にＣＤが装填された場合、ＤＶＤピックアップ３の対物レンズのフォーカスがＣＤの記録面を通過する時（Ｔ＝Ｔ１５）、異常レベルのフォーカスエラー信号Ｅ１５が検出され、また、ＣＤピックアップ２の対物レンズのフォーカスがＣＤの記録面を通過する時（Ｔ＝Ｔ１６）、正常レベルのフォーカスエラー信号Ｅ１６が検出される。従って、ＤＶＤレーザが照射されているとき最も大きなレベルのフォーカス信号はＥ１５であり、その時のフォーカスドライブ電圧は電圧Ａで示され、ＣＤレーザが照射されているとき最も大きなレベルのフォーカス信号はＥ１６であり、その時のフォーカスドライブ電圧は電圧Ｂで示される。このとき、図からも明らかなようにＡ≒Ｂであり、電圧差ΔＶ（＝Ｂ−Ａ≒０）＜しきい値ΔＶとなり装填された光ディスクＤはＤＶＤ又はＣＤであると判別される。
【００２９】
このように、ＤＶＤピックアップ３及びＣＤピックアップ２によってフォーカスサーチを順次行い、それぞれのピックアップから最も大きなレベルのフォーカス信号を検知したときのフォーカスドライブ電圧を測定すれば、装填されている光ディスクＤの種類を判別することができる。
【００３０】
そして上記判別の結果、制御部８が光ディスク再生装置１００に装填された光ディスクＤがＳＡＣＤであると判別したとき、ＤＶＤピックアップ３によってＳＡＣＤの高密度層の記録データを読み出し、デコーダ７によって再生処理する。
【００３１】
次に、制御部８による光ディスクＤの判別処理の手順について、図１１を参照して説明する。光ディスクＤが装填されるとＤＶＤレーザを出射（ＤＶＤレーザオン）して（＃２１）、フォーカスサーチを開始し（＃２２）、最も大きなフォーカスエラー信号を検知した時のフォーカスドライブ電圧値を測定する（＃２３）。この＃２３で測定された値をＤＶＤレーザ駆動値Ａとする。そして、ＤＶＤレーザによるフォーカスサーチが終了すると（＃２４）、ＤＶＤレーザの出射を停止する（ＤＶＤレーザオフ）（＃２５）。その後、ＣＤレーザを出射（ＣＤレーザオン）して（＃２６）、フォーカスサーチを開始し（＃２７）、最も大きなフォーカスエラー信号を検知した時のフォーカスドライブ電圧値を測定する（＃２８）。この＃２８で測定された値をＣＤレーザ駆動値Ｂとする。そして、ＣＤレーザによるフォーカスサーチが終了すると（＃２９）、ＣＤレーザの出射を停止する（ＣＤレーザオフ）（＃３０）。そして、＃２３及び＃２８によって得られたＤＶＤレーザ駆動値Ａ及びＣＤレーザ駆動値Ｂより、電圧差ΔＶを算出し、この電圧差ΔＶとしきい値ΔＶ０の大きさを比較して光ディスクＤの種類を判別する（＃３１）。
【００３２】
このように、本実施形態の光ディスク再生装置１００によれば、ＤＶＤレーザを照射してフォーカス信号を検出した時のフォーカスドライブ電圧Ａと、ＣＤレーザを照射してフォーカス信号を検出した時のフォーカスドライブ電圧Ｂとの電圧差ΔＶ＝Ｂ−Ａを算出し、この電圧差ΔＶの大きさに基いて光ディスクＤの種類を判別するので、装填された光ディスクＤを正確に判別することができる。また、装填された光ディスクＤがＳＡＣＤであるとき、高密度層のデータをＤＶＤピックアップ３によって読み出してデコーダ７によって再生するので、ユーザは高音質の音楽を聴取することができる。また、装填された光ディスクがＣＤであると判定したとき、ＣＤの記録データをＣＤピックアップ２によって読み出して再生するので、ユーザは現行のＣＤソフトを聴取することができる。
【００３３】
（実施形態３）
本発明のさらに別の実施形態について、図１２至図１４を参照して説明する。この実施形態３による光ディスク再生装置のブロック構成は、図１に示した実施形態１の光ディスク再生装置１００と同等であり、制御部８による光ディスクＤの判別手法が相違する。すなわち、制御部８（信号カウント手段）は、ＤＶＤレーザ又はＣＤレーザを照射して検出したフォーカス信号の個数をカウントし、このフォーカス信号の個数に基いて光ディスクＤの種類を判別する。
【００３４】
図１２は、光ディスク再生装置１００にＳＡＣＤが装填された場合におけるフォーカスサーチ時の対物レンズの駆動電圧とフォーカスエラー信号を時間軸（横軸）方向に拡大して示している。フォーカスサーチは、上記実施形態１の光ディスク再生装置と同等の要領で成されるが、本実施形態にあってはＤＶＤレーザ又はＣＤレーザのみの照射で足り、図示では、ＤＶＤレーザを照射した場合を示している。フォーカスサーチによってＤＶＤピックアップ３の対物レンズのフォーカスがＳＡＣＤの高密度層の記録面を通過する時（Ｔ＝Ｔ１７）、正常レベルのフォーカスエラー信号Ｅ１７が検出され、同フォーカスがＳＡＣＤのスタンダード密度層の記録面を通過する時（Ｔ＝Ｔ１８）、異常レベルのフォーカスエラー信号Ｅ１８が検出される。
【００３５】
制御部８は、１つ目のフォーカス信号Ｅ１７を検出した後、対物レンズの駆動を継続させながら、所定のカウント中止時間ΔＴ０が経過するまでフォーカス信号のカウントを中断し、その後、フォーカス信号のカウントを再開する。ここで時間ΔＴ０は、フォーカスサーチのスピード（対物レンズの移動速度）に応じて設定する。本実施例では、１つ目のフォーカス信号Ｅ１７を検出した後、２つ目のフォーカス信号Ｅ１７を検出するまでの時間ΔＴ＝Ｔ１８−Ｔ１７＞ΔＴ０であるので、Ｅ１７に引き続いてＥ１８もカウントされ、制御部８がカウントするフォーカスエラー信号の数は２個となる。
【００３６】
一方、光ディスク再生装置にＤＶＤ（１層）又はＣＤが装填された場合、記録面の数はいずれも１つであるので、制御部８が検出しカウントするフォーカスエラー信号の数もそれぞれ１個となる。
【００３７】
図１３は、光ディスク再生装置に２層のＤＶＤが装填された場合におけるフォーカスサーチ時の対物レンズの駆動電圧とフォーカスエラー信号を時間：Ｔ軸方向に拡大して示している。ＤＶＤピックアップ３の対物レンズのフォーカスがＤＶＤの第１層及び第２層の記録面を通過する時（Ｔ＝Ｔ１９、Ｔ２０）、正常レベルのフォーカスエラー信号Ｅ１９，Ｅ２０がそれぞれ検出される。ここで、２層のＤＶＤの層間距離（５５±１５μｍ）は、ＳＡＣＤの層間距離（０．６ｍｍ）の約１／１０倍である。従って、この場合の１つ目のフォーカス信号Ｅ１９を検出した後、２つ目のフォーカス信号Ｅ２０を検出するまでの時間ΔＴ’＝Ｔ２０−Ｔ１９は、上記時間ΔＴの約１／１０倍となる。そこで、時間ΔＴ０を時間ΔＴと時間ΔＴ’の略中間程度に設定することにより、時間ΔＴ’＜時間ΔＴ０となり信号Ｅ２０はカウントされず、制御部８がカウントするフォーカスエラー信号の数は１個となる。
【００３８】
このように、光ディスク再生装置１００にＳＡＣＤが装填されたとき、２個のフォーカスエラー信号がカウントされ、ＤＶＤ（１層又は２層）並びにＣＤが装填されたとき、１個のフォーカスエラー信号がカウントされる。従って、制御部８によってがカウントされたフォーカスエラー信号の個数に基いて、装填されている光ディスクＤの種類を判別することができる。
【００３９】
次に、制御部８による光ディスクＤの判別処理の手順について、図１４を参照して説明する。光ディスクＤが装填されるとＤＶＤレーザ（又はＣＤレーザ）を出射（ＤＶＤレーザオン（又はＣＤレーザオン））して（＃４１）、フォーカスサーチを開始し（＃４２）、フォーカスエラー信号の信号数のカウントを開始する。１つ目のフォーカスエラー信号の信号数をカウントすると（＃４３）、所定時間ΔＴ０が経過するまで（＃４４においてＮＯ）、信号数のカウントを中断する（＃４９）。この間、フォーカスサーチは継続する。所定時間ΔＴ０が経過すれば（＃４４においてＹＥＳ）、信号数のカウントを再開する（＃４５）。そして、フォーカスサーチが終了すると（＃４６）、ＤＶＤレーザ（又はＣＤレーザ）の出射を停止する（ＤＶＤレーザオフ（又はＣＤレーザオフ））（＃４７）。そして、＃４３乃至＃４６においてカウントしたフォーカスエラー信号のカウント数から光ディスクＤの種類を判別する（＃４８）。
【００４０】
このように、本光ディスク再生装置１００によれば、制御部８は、１つ目のフォーカス信号を検出した後、所定の時間が経過するまでフォーカス信号のカウントを中断し、その後カウントを再開するので、時間ΔＴ０の値を適切に設定することにより、層間距離が小さい２層のＤＶＤと同距離が大きい２層のＳＡＣＤとを区別して判別することができ、装填された光ディスクＤを正確に判別することができる。また、装填された光ディスクＤがＳＡＣＤであるとき、高密度層のデータをＤＶＤピックアップ３によって読み出してデコーダ７によって再生するので、ユーザは高音質の音楽を聴取することができる。また、装填された光ディスクがＣＤであると判定したとき、ＣＤの記録データをＣＤピックアップ２によって読み出して再生するので、ユーザは現行のＣＤソフトを聴取することができる。
【００４１】
なお、本発明は上記実施形態の構成に限られることなく種々の変形が可能であり、例えば、制御部８が光ディスクＤの種類を判別するために検出するフォーカス信号は、フォーカスエラー信号に限られることなく、各受光部の受光量の総和を算出して得た、いわゆるＡＳ信号であってもよい。また、判別する光ディスクＤの種類は現行のＳＡＣＤ、ＤＶＤ、ＣＤに限られることなく、２層以上の記録面が形成された他の光ディスクＤに対しても適用することができる。また、ＤＶＤピックアップ３及びＣＤピックアップ２をそれぞれ有する構成に限られることなく、ＤＶＤレーザ光源とＣＤレーザ光源、及びＤＶＤレーザ用光検知器、ＣＤ用光検知器を１つの光ピックアップ装置に備えるように構成したＤＶＤ・ＣＤ一体型の光ピックアップを用いてもよい。
【図面の簡単な説明】
【００４２】
【図１】本発明の一実施形態による光ディスク再生装置のブロック図。
【図２】同装置に用いられるＣＤピックアップ及びＤＶＤピックアップを示した図。
【図３】同装置にＳＡＣＤが装填された場合におけるフォーカスサーチ時の対物レンズの駆動電圧とフォーカス信号を示した図。
【図４】同装置にＤＶＤが装填された場合におけるフォーカスサーチ時の対物レンズの駆動電圧とフォーカス信号を示した図。
【図５】同装置にＣＤが装填された場合におけるフォーカスサーチ時の対物レンズの駆動電圧とフォーカス信号を示した図。
【図６】同装置にＤＶＤ、ＣＤ、及びＳＡＣＤが装填された場合におけるフォーカスサーチ結果を示した図。
【図７】同装置による光ディスク判別処理の手順を示したフローチャート。
【図８】本発明の別の実施形態による光ディスク再生装置にＳＡＣＤが装填された場合におけるフォーカスサーチ時の対物レンズの駆動電圧とフォーカス信号を示した図。
【図９】同装置にＤＶＤが装填された場合におけるフォーカスサーチ時の対物レンズの駆動電圧とフォーカス信号を示した図。
【図１０】同装置にＣＤが装填された場合におけるフォーカスサーチ時の対物レンズの駆動電圧とフォーカス信号を示した図。
【図１１】同装置による光ディスク判別処理の手順を示したフローチャート。
【図１２】本発明の別の実施形態による光ディスク再生装置にＳＡＣＤが装填された場合におけるフォーカスサーチ時の対物レンズの駆動電圧とフォーカス信号を示した図。
【図１３】同装置に２層のＤＶＤが装填された場合におけるフォーカスサーチ時の対物レンズの駆動電圧とフォーカス信号を示した図。
【図１４】同装置による光ディスク判別処理の手順を示したフローチャート。
【符号の説明】
【００４３】
１００  光ディスク再生装置
２    ＣＤピックアップ
３    ＤＶＤピックアップ
７    デコーダ（再生処理手段）
８    制御部（ＣＤフォーカス信号検出手段、ＤＶＤフォーカス信号検出手段、ディスク判別手段、電圧差算出手段、信号カウント手段）
【図１】
2005183001.tif 000003
【図２】
2005183001.tif 000004
【図３】
2005183001.tif 000005
【図４】
2005183001.tif 000006
【図５】
2005183001.tif 000007
【図６】
2005183001.tif 000008
【図７】
2005183001.tif 000009
【図８】
2005183001.tif 000010
【図９】
2005183001.tif 000011
【図１０】
2005183001.tif 000012
【図１１】
2005183001.tif 000013
【図１２】
2005183001.tif 000014
【図１３】
2005183001.tif 000015
【図１４】
2005183001.tif 000016